(57)【特許請求の範囲】
【請求項１】
デジタルカメラを着脱自在に設けた本体を有し、被検眼の撮影に際して、前記デジタルカメラを前記本体に装着して、前記本体に設けられた対物レンズを介して被検眼の映像を前記デジタルカメラにより取得することのできる、眼科撮影装置において、
前記本体に接続されたデジタルカメラの種類を、前記デジタルカメラとの通信を介して前記デジタルカメラから取得するカメラ種類取得手段、
前記被検眼を撮影する際に使用する、被検眼用撮影条件を、前記デジタルカメラの種類毎に格納した撮影条件メモリ、
前記カメラ種類取得手段から取得された前記本体に装着されたデジタルカメラの種類に対応する被検眼用撮影条件を、前記撮影条件メモリから読み出して、前記デジタルカメラ内のメモリに転送して格納する撮影条件転送手段、及び、
前記デジタルカメラに対して、該デジタルカメラ内のメモリに転送された被検眼用撮影条件に基づいて、前記被検眼を撮影するように指令する指令手段、
を有することを特徴とする、眼科撮影装置。
【請求項２】
前記撮影条件メモリ内の被検眼用撮影条件を適宜変更することの出来る、データ書き換え手段を有することを特徴とする、請求項１記載の眼科撮影装置。
【請求項３】
前記眼科撮影装置の電源投入を検出する電源投入検出手段を有し、
前記電源投入検出手段により、前記眼科撮影装置の電源投入が検出された場合には、前記撮影条件転送手段に対して、被検眼用撮影条件の前記デジタルカメラに対する転送格納動作を実行するように指令する、転送制御手段、
を有することを特徴とする、請求項１又は２記載の眼科撮影装置。
【発明の詳細な説明】
【技術分野】
【０００１】
本発明は、市販のデジタルカメラを撮影ユニットとて使用することの出来る眼科撮影装置に関する。
【背景技術】
【０００２】
従来、眼科撮影装置では、特許文献１に開示されたものが知られている。
【０００３】
【特許文献１】特開２００４−１８７８１１号公報
【発明の開示】
【発明が解決しようとする課題】
【０００４】
従来の、眼底撮影装置などの眼科撮影装置は、撮影ユニットして、専用のＣＣＤカメラを用いている。最近、専用のカメラに代えて市販のデジタルカメラを使用せんとする試みもなされているが、眼科撮影装置は、撮影対象が、「眼」という非常に特殊なものなので、眼の撮影に際しては、デジタルカメラの撮影時の撮影条件の設定は、通常の場合とは、大幅に異なる設定が必要となる。
【０００５】
通常、デジタルカメラに変更可能なパラメータとして設定されている撮影条件は、輪郭強調（強め、標準、弱め）、階調補正（コントラスト強め、標準、弱め）もしくは、オリジナルのトーンカーブ（γカーブ）、彩度設定（強め、標準、弱め）、撮影感度（ＩＳＯ感度設定）、画像サイズ（Ｌ、Ｍ、Ｓ）、画素数、画質モード（ＦＩＮＥ，ＮＯＲＭＡＬ，ＢＡＳＩＣ）、ホワイトバランスなどである。
【０００６】
この撮影条件パラメータを、市販のデジタルカメラを、眼科撮影装置に装着するたびに設定する必要があるが、その設定作業は手間が掛かり、設定ミスの危険性も高い。
【０００７】
本発明は、上記した事情に鑑み、市販のデジタルカメラを使用しても、簡単に撮影条件を設定することができる、眼科撮影装置を提供することを目的とするものである。
【課題を解決するための手段】
【０００８】
請求項１の発明は、デジタルカメラ（７）を着脱自在に設けた本体（５）を有し、被検眼（６）の撮影に際して、前記デジタルカメラを前記本体に装着して、前記本体に設けられた対物レンズ（５ａ）を介して被検眼の映像を前記デジタルカメラにより取得することのできる、眼科撮影装置（１）において、
前記本体に接続されたデジタルカメラの種類を、前記デジタルカメラとの通信を介して前記デジタルカメラから取得するカメラ種類取得手段、
前記被検眼を撮影する際に使用する、被検眼用撮影条件を、前記デジタルカメラの種類毎に格納した撮影条件メモリ（１３）、
前記カメラ種類取得手段から取得された前記本体に装着されたデジタルカメラの種類に対応する被検眼用撮影条件を、前記撮影条件メモリから読み出して、前記デジタルカメラ内のメモリ（１０）に転送して格納する撮影条件転送手段（１５）、及び、
前記デジタルカメラに対して、該デジタルカメラ内のメモリに転送された被検眼用撮影条件に基づいて、前記被検眼を撮影するように指令する指令手段（１５）、
を有することを特徴として構成される。
【０００９】
請求項２の発明は、前記撮影条件メモリ内の被検眼用撮影条件を適宜変更することの出来る、データ書き換え手段（１５．キーボード、リモート接続されたコンピュータなど）を有することを特徴として構成される。
【００１０】
請求項３の発明は、前記眼科撮影装置の電源投入を検出する電源投入検出手段（１５）を有し、
前記電源投入検出手段により、前記眼科撮影装置の電源投入が検出された場合には、前記撮影条件転送手段に対して、被検眼用撮影条件の前記デジタルカメラに対する転送格納動作を実行するように指令する、転送制御手段（１５）、
を有することを特徴として構成される。
【発明の効果】
【００１１】
請求項１の発明によれば、デジタルカメラとして市販のデジタルカメラを眼科撮影装置の撮影ユニットとして使用したとしても、適切な被検眼用撮影条件が撮影条件転送手段によりデジタルカメラ内のメモリ内に転送格納されるので、被検眼の撮影条件を簡単にデジタルカメラに設定することが出来、常に適切な撮影条件で被検眼を撮影するとことが可能となる。
【００１２】
請求項２の発明によれば、撮影条件メモリ内の被検眼用撮影条件を、任意に変更することが出来、現場に合った撮影条件の設定が可能となる。
【００１３】
請求項３の発明によれば、眼科撮影装置に電源が投入されると、デジタルカメラに対して被検眼用撮影条件が転送格納されるので、被検眼用撮影条件のデジタルカメラへの設定を確実に行うことが出来る。
【００１４】
なお、括弧内の番号等は、図面における対応する要素を示す便宜的なものであり、従って、本記述は図面上の記載に限定拘束されるものではない。
【発明を実施するための最良の形態】
【００１５】
以下、図面に基づき、本発明の実施例を説明する。
【００１６】
図１は、眼科撮影装置の１実施例を示すブロック図、図２は、セットアッププログラムの一例を示すフローチャートである。
【００１７】
眼科撮影装置１は、図１に示すように、光学系ユニット２を有しており、光学系ユニット２は、ベース３上に配置された、レンズ、反射鏡などの光学系を内部に収納する本体５を有している。本体５の図中左方には、対物レンズ５ａが設けられており、対物レンズ５ａの前方には、眼底などを撮影する対象となる被検眼６がある。本体５の図中右方には、市販のデジタルカメラ７が、適宜なアダプター（図示せず）を介して本体５に対して着脱自在に設けられており、デジタルカメラ７には、ＣＤＤアレイなどからなる光学変換素子９が設けられ、対物レンズ５ａで捕捉した被検眼６の映像を、当該光学変換素子９上で結像させて、被検眼６の映像データを得ることが出来る。デジタルカメラ７には、更に、メモリ１０が設けられている。ここで言う、市販のデジタルカメラ７とは、撮影の目的によりレンズを着脱交換することが可能であり、かつ、撮影条件を記憶しておくメモリと、その撮影条件を外部（ＵＳＢケーブルなどにより接続されたパソコンなど）から書き換えることが出来る機能を有しているデジタルカメラである。本出願時点において、市販されている一眼レフ形のデジタルカメラの殆どは、こうした機能を有している。
【００１８】
デジタルカメラ７には、ＵＳＢケーブルなどの接続ケーブル１１を介して、眼科撮影装置１の制御ユニット１２が接続しており、制御ユニット１２は、本体５にも接続され、本体の光学系などの制御を行うことが出来る。制御ユニット１２には、メモリ１３及び制御手段１５が設けられている。また、制御ユニット１２には、ディスプレイ１６が接続している。
【００１９】
眼科撮影装置１は、以上のような構成を有するので、眼科撮影装置１を用いて、被検眼６の眼底等の映像を撮像する場合には、撮像ユニットとして、市販のデジタルカメラ７を、適宜なアダプタを介して、光学系ユニット２の本体に装着する。市販のデジタルカメラ７としては、一眼レフ形のカメラを使用すると、一般的な交換レンズのバヨネットマウントなどのマウント方式を、カメラ装着用のアダプタとして使用することが出来るので、好ましい。また市販のデジタルカメラ７と制御ユニット１２を接続ケーブル１１で接続する。
【００２０】
接続ケーブル１１でデジタルカメラ７と制御ユニット１２が接続されると、制御手段１５が接続ケーブル１１を介してデジタルカメラ７との間で通信を行い、新たに接続された機器が、デジタルカメラ７であることを認識する。制御手段１５は、次いで、メモリ１３から、セットアッププログラムＳＰを読み出して、デジタルカメラ７に対する撮影条件のセットアップ動作を開始する。
【００２１】
即ち、セットアッププログラムＳＰは、図２に示すように、ステップＳ１で、デジタルカメラ７が接続（接続ケーブル１１による接続も含む）されたり、又は既にデジタルカメラ７が接続された状態で、制御ユニット１２の電源が投入されたり、又は所定のタイミングで、本セットアッププログラムＳＰを実行開始する。セットアッププログラムＳＰは、ステップＳ２で、制御手段１５を介して、撮像ユニット、即ちデジタルカメラ７の種類、例えば、メーカー名、型番などを接続ケーブル１１を介したデジタルカメラ７との通信により、デジタルカメラ７から取得する。
【００２２】
次に、セットアッププログラムＳＰは、ステップ３に入り、ステップ２で判別された撮像ユニット、即ち、デジタルカメラ７の種類に応じた撮影条件を、メモリ１３内の撮影条件ファイルから読み出す。撮影条件ファイルには、眼科撮影装置１において、市販のデジタルカメラ７を使用する場合に、使用すべき撮影条件が、各撮像ユニット毎に、従ってデジタルカメラ７のメーカー名、型番毎に、撮影条件ファイルとして格納されており、撮影条件ファイルは、制御手段１５によりインターネットなどの通信回線を介して、適宜更新され、最新のデジタルカメラ機器に対応した撮影条件ファイルが格納されるようになっている。
【００２３】
撮影条件ファイルには、眼科撮影装置１に接続することの出来るデジタルカメラ７のメーカー及び型番毎に、当該眼科撮影装置１で被検眼６を撮影する際の撮影条件が、格納されており、それら撮影条件は、例えば、輪郭強調（強め、標準、弱め）、階調補正（コントラスト強め、標準、弱め）もしくは、オリジナルのトーンカーブ（γカーブ）、彩度設定（強め、標準、弱め）、撮影感度（ＩＳＯ感度設定）、画像サイズ（Ｌ、Ｍ、Ｓ）、画素数／解像度、画質モード／圧縮率（ＦＩＮＥ，ＮＯＲＭＡＬ，ＢＡＳＩＣ）、ホワイトバランスなどである。これらの撮影条件は、必要ならば、被検眼に対する検査内容別（被検者別、被検眼別、撮影モード別、など）に格納されている。
【００２４】
制御手段１５は、光学系ユニット２に装着されたデジタルカメラ７に対応した、撮影条件を、メモリ１３の撮影条件ファイルから読み出したところで、セットアッププログラムＳＰのステップ４に入り、当該読み出された撮影条件を、接続ケーブル１１を介してデジタルカメラ７に転送し、ステップ５に示すように、制御手段１５を介してデジタルカメラ７に対して、当該撮影条件を、デジタルカメラ７内のメモリ１０に格納するように指令する。
【００２５】
デジタルカメラ７は、制御手段１５から転送されてきた撮影条件を、メモリ１０内に格納し、これにより、デジタルカメラ７の撮影条件のセットアップは完了する。通常、それまで被検眼６の撮影に使用されていなかった、市販のデジタルカメラ７には、撮影条件として、人物や風景など一般的な被写体に関するものが設定されているので、そのままでは被検眼６の眼科撮影装置１による撮影は撮影条件が不適切なものとなり、適切な画像を取得することは出来ないが、制御手段１５からメモリ１０にローディングされた被検眼撮影用の撮影条件を用いることにより、デジタルカメラ７であっても、適切な条件で被検眼６の映像を取得することが出来る。
【００２６】
なお、制御手段１５によるデジタルカメラ７のメモリ１０内への撮影条件の転送格納動作は、制御手段１５が眼科撮影装置１の電源投入を検出した時、デジタルカメラ７の光学系ユニットへの装着を検出した時（接続ケーブル１１の接続時）、眼科撮影装置１の撮影モードを変更した時、蛍光撮影に使用するタイマをスタート／ストップさせた時、被検者が交代した時（ＩＤナンバーの変更を行った時）、など眼科撮影装置１に何らかの操作がなされた時、または、デジタルカメラ７に対する何らかの操作を検出した時など適宜なタイミングで指令実行されるので、被検眼６の撮影時には、デジタルカメラ７がその撮影に使用する撮影条件は、常に被検眼６の撮影に適したデータがメモリ１０に格納された状態となっている。
【００２７】
なお、制御ユニット１２内のメモリ１３に格納された撮影条件ファイルの内容即ち、被検眼用撮影条件は、キーボードなどの適宜な入力操作手段を介して任意の時点でディスプレイ１６上に表させることが出来、更に、表示された撮影条件ファイルに格納された個々の撮影条件を、入力操作手段や通信手段を介して接続されたコンピュータなどのデータ書き換え手段を介して、適宜変更して、現場の撮影環境に適合した新たな撮影条件をメモリ１３に登録し、それを光学系ユニット２に装着されたデジタルカメラ７に転送設定することもできる。
【００２８】
こうして、デジタルカメラ７に被検眼６の撮影に適した撮影条件がロードされたところで、検査者は、図示しないキーボードなどを操作して、制御手段１５に対して被検眼６の撮影を指令する。制御手段１５は、これを受けて接続ケーブル１１を介してデジタルカメラ７に対して、該デジタルカメラのメモリ１０に更新設定された撮影条件を用いて被検眼６の撮影を行うように指令する撮影指令を出力すると共に、光学系ユニット２に対しても、デジタルカメラ７の撮影に対応した撮影動作を実行するように指令する。これを受けて、デジタルカメラ７は、メモリ１０内に格納設定された、眼科撮影装置に適した撮影条件に基づいて光学系ユニット２を介して被検眼６を撮影し、被検眼６の映像は、眼科撮影装置１に適した撮影条件で取得される。
【００２９】
なお、撮影後に、デジタルカメラ７が光学系ユニット２から取り外され、人物や風景など通常の被写体撮影に使用され、そのメモリ１０内の撮影条件が、一般的な写真撮影の際の撮影条件に更新されたとしても、再度当該デジタルカメラ７が眼科撮影装置１に装着された場合には、制御ユニット１２側から、眼科撮影装置１に適した被検眼用撮影条件が、メモリ１３の撮影条件ファイルから読み出され、ローディングされるので、当該デジタルカメラ７による被検眼６の撮影は円滑に行うことが出来る。
【００３０】
また、制御手段１５は、所定のデジタルカメラ７が光学系ユニット２に装着された後に、当該デジタルカメラに対して被検眼用撮影条件を転送した回数及び時間の履歴及び、直前の転送からの経過時間、直前の転送以降、眼科撮影装置１の電源の断続動作履歴、セットアッププログラムの立ち上げ履歴、デジタルカメラの本体５からの脱着履歴及び撮影履歴などをメモリ１３に記録しており、直前の転送からの所定時間が既に経過している場合、直前の転送以降、眼科撮影装置１の電源の断続動作が行われている場合、デジタルカメラの本体からの脱着履歴や撮影履歴が検出された場合、などには、再度、当該デジタルカメラに対して、対応する被検眼用撮影条件の転送及びメモリ１０への格納を行って、本体２に装着されたデジタルカメラ７に常に被検眼用撮影条件が格納されるように管理する。
【産業上の利用可能性】
【００３１】
本発明は、市販のデジタルカメラを、眼科撮影装置に使用して、被検眼の映像を取得することのできる、眼科撮影装置に利用することが出来る。
【図面の簡単な説明】
【００３２】
【図１】図１は、眼科撮影装置の１実施例を示すブロック図。
【図２】図２は、セットアッププログラムの一例を示すフローチャート。
【符号の説明】
【００３３】
１……眼科撮影装置
５……本体
５ａ……対物レンズ
６……被検眼
１０……メモリ
１３……撮影条件メモリ
１５……撮影条件転送手段、指令手段、データ書き換え手段、電源投入手段、転送制御手段（制御手段）
【図１】
0004754945.tif 000002
【図２】
0004754945.tif 000003